(57)【要約】【課題】  漏水個所の特定を効率良く行う。【解決手段】  水道メータ又は給水管に取り付けられる漏水監視装置において、水道配管を伝わった漏水音振動は振動センサ１にて電気信号に変換され、増幅回路２及び周波数フィルタ３を介して整流回路４に供給され、直流の電圧レベルの信号とされる。直流の電圧レベル信号に変換された漏水音振動は、Ａ／Ｄ変換器６にてデジタル値に変換され、振動レベル処理手段７にて記憶回路８に記憶されている選択された漏水検出レベルと比較され、複数段階のレベルのうちのどの漏水検出レベルに対応するかが判定される。該判定結果は記憶回路８に記憶され、操作部１１の操作により読み出されて、表示部１２で表示される。最も高い漏水検出レベルを示す漏水監視装置が取り付けられた水道メータ又は給水管の近傍のみを音聴調査することにより、漏水個所を特定することができる。【選択図】  図１
2005331374.tif 000002
【特許請求の範囲】
【請求項１】
水道配管又は水道メータに取り付け可能な漏水監視装置であって、
水道配管の振動を電気信号に変換する振動センサと、
前記電気信号の漏水音の周波数帯域の信号を通過させるフィルタと、
該フィルタの出力を整流する整流回路と、
該整流回路の出力をデジタル信号に変換するＡ／Ｄ変換器と、
該Ａ／Ｄ変換器の出力を振動レベルの大きさにより複数の段階にレベル分けする振動レベル処理手段と
を有することを特徴とする漏水監視装置。  
【請求項２】
漏水の有無を判定するための基準値及び漏水ありの状態を複数の段階にレベル分けするためのしきい値からなる漏水検出レベル基準値を記憶する記憶手段を有し、
前記振動レベル処理手段は、前記Ａ／Ｄ変換器の出力を前記記憶手段に記憶されている漏水検出レベル基準値と比較して、前記振動センサにより検出した漏水音の計測値に対応した漏水検出レベルを決定することを特徴とする請求項１記載の漏水監視装置。
【請求項３】
前記記憶手段には、それぞれ異なる前記基準値を有する複数の漏水検出レベル基準値が記憶されており、
該複数の漏水検出レベル基準値の中から選択された漏水検出レベル基準値を、前記Ａ／Ｄ変換器の出力との比較に用いることを特徴とする請求項２記載の漏水監視装置。
【請求項４】
前記振動レベル処理手段により決定された漏水検出レベルを記憶する記憶手段を有することを特徴とする請求項１ないし３のいずれかに記載の漏水監視装置。
【請求項５】
前記振動レベル処理手段により決定された漏水検出レベルを表示する表示手段を有することを特徴とする請求項１ないし４のいずれかに記載の漏水監視装置。
【請求項６】
前記振動レベル処理手段は、計測時間中に計測された計測値のうちの最も低い計測値と前記漏水検出レベル基準値とを比較することを特徴とする請求項２ないし５のいずれかに記載の漏水監視装置。
【請求項７】
前記最も低い計測値は、計測時間中に計測された計測値の移動平均値のうちの最も低い値であることを特徴とする請求項６記載の漏水監視装置。
【請求項８】
所定期間計測した計測値の移動平均値のうちの最も低い値に所定の定数を乗算した値に最も近い漏水の有無を判定する基準値を有する漏水検出レベル基準値を、前記漏水検出レベルの決定に用いることを特徴とする請求項２ないし７のいずれかに記載の漏水監視装置。
【請求項９】
対象領域内の水道配管又は水道メータに取り付けられた漏水監視装置を用いて水道配管類における漏水個所を検知する方法であって、
前記漏水監視装置は、水道配管の振動を検出し、該検出した振動の大きさに対応した漏水検出レベルを表示する機能を有するものであり、
対象領域内の水道配管又は水道メータに取り付けられた前記漏水監視装置のうち、最も大きい漏水検出レベルを表示する漏水監視装置を特定する工程と、
該特定された漏水監視装置の近傍の水道配管について音聴調査を行う工程を
含むことを特徴とする漏水個所検知方法。
【発明の詳細な説明】
【技術分野】
【０００１】
本発明は、水道配管類又は水道メータに取り付ける漏水監視装置及び漏水個所の検知方法に関する。
【背景技術】
【０００２】
従来より、漏水により水道管に伝わる振動を検知することにより、漏水を検知する漏水監視装置が各種提案されている（特許文献１，２）。
このような従来の漏水監視装置は、振動センサにより検知した水道管に伝わる振動又は音圧に基づいて「漏水あり」又は「漏水なし」を判定し、その結果のみを表示するタイプであり、その漏水判定基準は機器ですでに決められているものであった。
【特許文献１】特開平９−１９６７９８号公報
【特許文献２】特開２０００−３５２５４２号公報
【発明の開示】
【発明が解決しようとする課題】
【０００３】
上記提案されている漏水監視装置は、簡単に漏水有無の判定が可能で常設して使用することができるものであるが、漏水有無の判定基準があらかじめ決定されており、計測値がその漏水判定基準以上であれば振動の強弱に関係なく「漏水あり」という判定になる。したがって、漏水した個所の近辺の複数の漏水監視装置で漏水ありを検知してしまい、容易に漏水個所を特定することができないという問題があった。
なお、最終的に漏水地点を特定するためには、それぞれの機器の計測結果を基に熟練者によって音聴調査を行い、漏水点を探し出す必要がある。
【０００４】
図７を参照して、従来の漏水監視装置を用いた場合の漏水個所検知方法について説明する。
この図において、３１は配水管、３２は配水管３１から分岐された給水管、３３は前記給水管３２に図示しない止水栓を介して接続された水道メータ、３４は給水管３２の振動を捉えるように各水道メータ３３対応に設置された漏水監視装置である。図示するように、この対象領域内にはＡ〜Ｈで示す８個の水道メータ３３が存在しており、それぞれに対応して漏水監視装置３４が取り付けられている。
ここで、図中の×印で示す点で漏水が発生しており、前記漏水監視装置３４のうち、Ａ，Ｂ，Ｃ，Ｅ，Ｆ及びＧの水道メータに取り付けられた漏水監視装置３４で「漏水あり」反応を表示し（図中の黒丸）、Ｄ及びＨでは「漏水なし」反応を表示した（図中の白丸）とする。
このとき、「漏水あり」となった個所は６ケ所であり、また、この６ケ所全てが「漏水あり」という表示であるため、漏水点を推測することが困難であり、Ａ，Ｂ，Ｃ，Ｅ，Ｆ及びＧの全ての個所を含む範囲３５で音聴調査を行い、漏水点を見つけださなくてはならなかった。
【０００５】
そこで本発明は、効率良く漏水個所を特定することができる漏水監視装置及び漏水個所検知方法を提供することを目的としている。
【課題を解決するための手段】
【０００６】
上記目的を達成するために、本発明の漏水監視装置は、水道配管又は水道メータに取り付け可能な漏水監視装置であって、水道配管の振動を電気信号に変換する振動センサと、前記電気信号の漏水音の周波数帯域の信号を通過させるフィルタと、該フィルタの出力を整流する整流回路と、該整流回路の出力をデジタル信号に変換するＡ／Ｄ変換器と、該Ａ／Ｄ変換器の出力を振動レベルの大きさにより複数の段階にレベル分けする振動レベル処理手段とを有するものである。
また、漏水の有無を判定するための基準値及び漏水ありの状態を複数の段階にレベル分けするためのしきい値からなる漏水検出レベル基準値を記憶する記憶手段を有し、前記振動レベル処理手段は、前記Ａ／Ｄ変換器の出力を前記記憶手段に記憶されている漏水検出レベル基準値と比較して、前記振動センサにより検出した漏水音の計測値に対応した漏水検出レベルを決定するものとされている。
【０００７】
さらに、前記記憶手段には、それぞれ異なる前記基準値を有する複数の漏水検出レベル基準値が記憶されており、該複数の漏水検出レベル基準値の中から選択された漏水検出レベル基準値を、前記Ａ／Ｄ変換器の出力との比較に用いるようになされているものである。
さらにまた、前記振動レベル処理手段により決定された漏水検出レベルを記憶する記憶手段を有するものである。
さらにまた、前記振動レベル処理手段により決定された漏水検出レベルを表示する表示手段を有するものである。
さらにまた、前記振動レベル処理手段は、計測時間中に計測された計測値のうちの最も低い計測値と前記漏水検出レベル基準値とを比較するようになされているものである。
さらにまた、前記最も低い計測値は、計測時間中に計測された計測値の移動平均値のうちの最も低い値とされているものである。
さらにまた、所定期間計測した計測値の移動平均値のうちの最も低い値に所定の定数を乗算した値に最も近い漏水の有無を判定する基準値を有する漏水検出レベル基準値を、前記漏水検出レベルの決定に用いるようになされているものである。
【０００８】
さらにまた、本発明の漏水個所検知方法は、対象領域内の水道配管又は水道メータに取り付けられた漏水監視装置を用いて水道配管類における漏水個所を検知する方法であって、前記漏水監視装置は、水道配管の振動を検出し、該検出した振動の大きさに対応した漏水検出レベルを表示する機能を有するものであり、対象領域内の水道配管又は水道メータに取り付けられた前記漏水監視装置のうち、最も大きい漏水検出レベルを表示する漏水監視装置を特定する工程と、該特定された漏水監視装置の近傍の水道配管について音聴調査を行う工程を含むものである。
【発明の効果】
【０００９】
水道メータに接続されている給水管は、配水管から各家庭の水道メータまでの短い距離の場合が殆どであり、漏水している給水管に一番近い水道メータ（漏水している給水管に直接接続されている水道メータ）では、近隣の他の水道メータに取り付けた漏水監視装置の振動センサより大きな漏水音の出力値が発生する。
したがって、本発明の漏水監視装置及び漏水検知方法によれば、漏水音の計測値を振動レベルの大きさによりレベル分けすることができるため、複数の漏水監視装置で漏水が検知されたときでも、その振動レベルを比較することにより、音聴調査を行うべき範囲をより狭い範囲に特定することができ、効率良く容易に漏水個所を特定することができる。
また、漏水検出レベルを判定するための漏水検出レベル基準値を複数備えておき、その漏水監視装置の設置場所などに応じて選択した漏水検出レベル基準値を使用することにより、外乱ノイズがある場所であっても、的確に漏水を検出することができる。
【発明を実施するための最良の形態】
【００１０】
図１は、本発明の漏水監視装置の一実施の形態の回路構成を示すブロック図である。この漏水監視装置は、水道メータ又は給水管（水道配管）に取り付けられる。
この図において、１は水道メータ又は給水管の振動を電気信号に変換する振動センサである。また、２は該振動センサ１の出力信号を増幅する増幅回路、３は該増幅回路２から出力される信号のうち漏水音の周波数帯域（約１００Ｈｚ〜２０００Ｈｚ）の信号を通過させる周波数フィルタ（バンドパスフィルタ）、４は前記周波数フィルタ３から出力される信号を整流する整流回路であり、増幅回路２、周波数フィルタ３及び整流回路４によりアナログ回路部５が構成されている。なお、前記周波数フィルタ３は、バンドパスフィルタに限らず、漏水音の周波数帯域よりも高い周波数の雑音信号を除去するローパスフィルタなどであってもよい。
【００１１】
６は前記整流回路４からの出力信号をデジタルデータに変換するアナログ／デジタル変換器（Ａ／Ｄ変換器）、７は計測時間中に前記Ａ／Ｄ変換器６から出力される最も低い計測値（最小値）と後述の記憶回路８に記憶されている漏水検出レベル基準値のデータとを比較して、前記振動センサ１により計測された水道配管の振動が複数の漏水検出レベルのうちのどのレベルに属するものであるかを判定する振動レベル処理手段、８は複数の漏水検出レベル基準値を記憶するとともに、前記振動レベル処理手段７による漏水検出レベルの判定結果を記憶するフラッシュメモリなどの記憶回路である。これらＡ／Ｄ変換器６、振動レベル処理手段７及び記憶回路８によりデジタル回路部９が構成されている。なお、このデジタル回路部９は例えばワンチップマイクロコンピュータなどにより構成することができる。この場合には、前記振動レベル処理手段７は該ワンチップマイクロコンピュータにより実行されるプログラムにより実現される。
【００１２】
１０は漏水音振動の計測時間、計測周期などの時間管理を行うための時計回路であり、常時電源が供給されており、所定周期で所定期間だけ前記アナログ回路部５及びデジタル回路部９に電源電圧を供給するものである。例えば、一日のうちの雑音の最も少ない時間帯（例えば、毎日午前２時から午前５時の間）を計測時間とし、該計測時間中に所定周期（例えば、３分ごとに２秒間ずつ、計測周期）で、前記デジタル回路部９と前記アナログ回路部５に電源電圧を供給して漏水音振動の計測を実行させる。
さらに、１１は前記デジタル回路部９に接続された操作部であり、スイッチ、リードスイッチ、光センサなどである。また、１２は前記デジタル回路部９に接続された液晶表示素子またはＬＥＤなどの表示部である。
ユーザは、この操作部１１を用いて前記デジタル回路部９にコマンドを投入することにより、前記記憶回路８に記憶されている漏水検出レベルの判定結果を前記表示部１２に表示させることや、前記記憶回路８に記憶されている複数の漏水検出レベル基準値から前記振動レベル処理手段７における漏水検出レベル判定に使用する漏水検出レベル基準値の選択などの処理を行うことができる。
【００１３】
前記漏水検出レベル基準値について、図２を参照して説明する。前述のように、前記記憶回路８には複数の漏水検出レベル基準値が格納されており、この図にはグループ１とグループ２の２種類の漏水検出レベル基準値が示されている。
漏水検出レベル基準値には、漏水の有り／無しを判定するための基準値となる振動レベルの大きさと、漏水ありの状態を複数の段階にレベル分けするしきい値となる振動レベルの大きさとが含まれている。
図示するように、グループ１の漏水検出レベル基準値は、（１）１×１０(−４)（1E-04）［ｍ／ｓ２］が前記漏水の有り／無しを判定するための基準値とされており、（２）５×１０(−４)（5E-04）［ｍ／ｓ２］、（３）１×１０(−３)（1E-03）［ｍ／ｓ２］、（４）５×１０(−３)（5E-03）［ｍ／ｓ２］及び（５）１×１０(−２)（1E-02）［ｍ／ｓ２］の４つのしきい値が漏水ありの状態を５段階にレベル分けするために規定されている。したがって、計測時間中の前記Ａ／Ｄ変換器６の出力の最小値が（１）１×１０(−４)（1E-04）［ｍ／ｓ２］に対応する値未満のときは「漏水なし」と判定され、（１）以上（２）未満に対応する値のときは「レベル１」、（２）以上（３）未満に対応する値のときは「レベル２」、（３）以上（４）未満に対応する値のときは「レベル３」、（４）以上（５）未満に対応する値のときは「レベル４」、（５）以上のときは「レベル５」と判定される。
【００１４】
また、グループ２は、前記グループ１の各しきい値をそれぞれ「ａ１」ずつ振動レベルの高いほうにシフトしたもの、すなわち、前記グループ１の各しきい値に＋ａ１した値をグループ２の各しきい値としたものである。
なお、この図には、グループ１とグループ２のみを示したが、シフト量が異なるさらに多くの漏水検出レベル基準値のグループが定義され、前記記憶回路８に記憶されている。
ここで、前記記憶回路８に複数の漏水検出レベル基準値を格納するときに、前記グループ１の漏水検出レベル基準値を全国各地で使用する基準のデータとして記憶しておき、その他のグループのデータとしては、該グループ１の漏水検出レベル基準値に対するシフト量だけを格納するようにしてもよい。
また、図示した例では、各レベルのしきい値を４個設定して、５段階のレベル分けとしているが、これよりも多くても少なくてもよい。さらに、各しきい値の間隔は等間隔に設定されているが、異なる間隔に設定してもよい。
後述するように、漏水監視装置が設置される場所に適した漏水検出レベル基準値を選択して使用することにより、的確な漏水検出結果を得ることができる。
【００１５】
このように構成された本発明の漏水監視装置において、前記時計回路１０により設定された計測時間になると、前記アナログ回路部５及び前記デジタル回路部９の動作が開始され、水道配管を伝わった漏水音振動は、前記振動センサ１にて電気信号に変換される。振動センサ１によって変換された漏水音振動は非常に微弱であるため、増幅回路２にて増幅される。次に、漏水音の周波数帯域は約１００Ｈｚ〜２０００Ｈｚであるため、周波数フィルタ３により必要のない周波数成分を除去し、レベル分析しやすくするために交流で得られた信号波形を整流回路４で整流し、直流の電圧レベルの信号とする。整流回路４で直流の電圧レベル信号に変換された漏水音振動は、Ａ／Ｄ変換器６にてデジタル数値に変換される。
【００１６】
前記振動レベル処理手段７は、計測時間中に前記Ａ／Ｄ変換器６から出力された計測値のうちの最も低い計測値（最小値）を検出し、記憶回路８に記憶されている漏水検出レベル基準値と比較して、該計測値が複数段階の漏水検出レベルのうちのどのレベルに属するかを判定するレベル処理を行う。例えば、午前２時から午前５時の計測時間中に前記Ａ／Ｄ変換器６から計測周期ごとに出力される計測値の最小値を求め、該計測値の最小値を、前記記憶回路８に記憶されている複数の漏水検出レベル基準値のうちの選択された漏水検出レベル基準値と比較して、その漏水検出レベルを決定する。
なお、このときに、前記Ａ／Ｄ変換器６の出力の所定期間の移動平均を求め、該移動平均の最小値を前記漏水検出レベル基準値と比較するようにしてもよい。
このようにして、前記振動レベル処理手段７によるレベル判定結果は記憶回路８などの記憶部に記憶される。
なお、上記においては、計測時間（午前２時〜午前５時）中に、所定周期で計測を行うものとしたが、計測時間中連続して計測を行うようにしてもよい。
【００１７】
ユーザ操作などによる操作部１１の入力信号により結果表示を要求された場合、前記デジタル回路部９は、前記記憶回路８から該判定結果を読み出して、表示部１２にて表示を行う。
表示部１２は液晶表示素子またはＬＥＤなどで構成され、記憶回路８に記憶された計測結果のレベルを、数値表示、バーグラフ表示、ＬＥＤの点滅表示などによって表示出力するものである。
図３は、前記表示部１２における漏水検出レベルの表示方法の例を示す図である。この図において、１２ａは７セグメント表示器を用いて漏水検出レベルを表す数値を表示する表示部の例を示し、１２ｂはバーグラフ表示により漏水検出レベルを表示する表示部の例、１２ｃは表示灯を用いて漏水検出レベルを表示する表示部の例を示している。ここで、１２ｃにおいては、緑色ＬＥＤと赤色ＬＥＤを用い、緑色ＬＥＤの点灯により「漏水なし」を表し、赤色ＬＥＤの点灯回数により漏水検出レベルを表示するようにしている。例えば、レベル３を表示する場合、１２ａでは数値「３」を表示し、１２ｂでは３個の素子を点灯させ、１２ｃにおいては、赤色ＬＥＤを３回点滅させるようにする。
【００１８】
次に、前記記憶回路８中に格納されている漏水検出レベル基準値の選択について説明する。
図４は、前記漏水監視装置により計測時間中に計測された振動レベルのグラフを示す図である。ここで、（ａ）は付近に連続的なノイズの発生源がない場合を示し、（ｂ）は付近に連続的なノイズの発生源がある場合を示している。
図において、計測時間内での計測レベルが大小変化しているが、これは漏水音振動以外の、例えば自動車の走行音や水道使用による通水音などの外乱による影響であり、前述のように、この外乱の影響の少ない振動レベル、すなわち計測時間中に計測された計測レベルの最小値を前記漏水音振動レベルとして処理を行うことにより、外乱ノイズの少ない漏水音振動を捉えることができる。
【００１９】
漏水監視装置は設置場所により漏水のない配管であっても、その振動レベルは異なる。例えば、柱上トランスから発せられるトランス音、自動販売機などの動作音、下水音などは深夜でも連続的にその振動が配管に伝わり、漏水のない状態であっても漏水監視装置で検出されるレベルは異なってしまう。
図４の（ａ）は、雑音の少ない場所に設置された漏水監視装置における計測結果の例を示している。この場合は、グループ１の漏水検出レベル基準値を用いてレベル処理されており、計測値の最小値が基準値１Ｅ−０４より小さいため、「漏水なし」と判定されている。
図４の（ｂ）は、雑音が多い場所に設置された漏水監視装置における計測結果を示している。図４の（ａ）における計測値と比較すると、連続的な雑音により測定値のレベルが全体的に高くなっている。これを図４の（ａ）の場合と同じグループ１の漏水検出レベル基準値を用いてレベル判定すると、漏水なしであっても、「レベル１」と判定されることとなる。
そこで、柱状トランスや自動販売機などの雑音源の近傍に設置された漏水監視装置については、図４の（ｂ）に示すように、グループ２の漏水検出レベル基準値を用いるようにする。これにより、図示するように、ノイズなどの影響による誤判定を防止することが可能となる。
【００２０】
例えば、あらかじめ漏水のない水道配管の振動を計測し、その計測値の移動平均をとって、その最も低い計測値を「漏水なし」の基準値として、その基準値に所定の定数を乗算した値に最も近い漏水有り／無しの判定基準値を有するグループをその漏水監視装置において使用する漏水検出レベル基準値と決定する。
あるいは、漏水監視装置により一度「漏水あり」判定がなされたが、音聴調査の結果、柱状トランスなどによる雑音に起因するものであると判明した場合に、前記操作部１１からの操作などによって、レベル判定に使用する漏水検出レベルのグループを変更するようにしてもよい。
【００２１】
このような本発明の漏水監視装置を用いる本発明の漏水個所検知方法について、説明する。図５は、上述した本発明の漏水個所検知方法を説明するための図であり、図６は、図５に示した各計測個所の漏水監視装置における計測結果の例を示す図である。
図５において、２１は配水管、２２は給水管、２３（Ａ〜Ｈ）は水道メータ、２４は各水道メータ２３又はその給水管に取り付けられた本発明の漏水監視装置である。前記図７の場合と同様に、この対象領域内にはＡ〜Ｈで示す８個の水道メータ２３が存在しており、それぞれに対応して漏水監視装置２４が水道メータ又は給水管の振動を捉えるように設置されている。
図６は、図５で図示した各計測個所（Ａ〜Ｈの水道メータ）での実際の計測データとレベル判定例である。ただし、煩雑さを避けるために、Ｅ，Ｇ，Ｈについては図示を省略している。
【００２２】
ここで、図５における×印にて漏水が発生しているとする。この場合、各漏水監視装置において、例えば、図６に示すような計測結果が得られたとする。すなわち、Ａの水道メータに取り付けられた漏水監視装置では「レベル２」、Ｂの漏水監視装置では「レベル５」、Ｃでは「レベル１」、Ｄでは「漏水なし」、Ｅでは「レベル１」、Ｆでは「レベル３」、Ｇでは「レベル２」、Ｈでは「漏水なし」という判定結果が得られたとする。
この場合、Ｂの水道メータに取り付けられた漏水監視装置が最も高い漏水検出レベルを示しているため、漏水個所を特定するための音聴調査は、該Ｂの水道メータに接続された給水管の近傍の範囲２５のみで行えばよい。
これに対し、前述した図７の場合には、Ａ，Ｂ，Ｃ，Ｅ，Ｆ，Ｇの漏水監視装置で「漏水あり」反応を表示し、Ｄ，Ｈでは「漏水なし」反応を表示していたため、Ａ，Ｂ，Ｃ，Ｅ，Ｆ，Ｇの全ての個所を含む広い範囲３５で音聴調査を行い、漏水点を見つけださなくてはならなかった。
このように、本発明によれば、「漏水あり」のＡ，Ｂ，Ｃ，Ｅ，Ｆ，Ｇの各個所において、その漏水音振動の強さが表示されているため、Ｂの地点が一番漏水点に近いことが容易に推測できる。これにより、従来は６ヶ所行った音聴調査を、１ヶ所のみ行うことだけで漏水点の発見が可能となり、漏水点の調査作業の効率化を図ることができる。
【図面の簡単な説明】
【００２３】
【図１】本発明の漏水監視装置の一実施の形態の回路構成を示すブロック図である。
【図２】漏水検出レベル基準値について説明するための図である。
【図３】表示部における漏水検出レベルの表示方法の例を示す図である。
【図４】振動レベルの計測結果の一例を示す図であり、（ａ）は付近に連続的なノイズの発生源がない場合、（ｂ）は付近に連続的なノイズの発生源がある場合における振動レベルの計測結果の一例を示す図である。
【図５】本発明の漏水監視装置を用いた本発明の漏水個所検知方法を説明するための図である。
【図６】各計測個所における振動レベルの計測結果の例を示す図である。
【図７】従来の漏水監視装置を用いた場合の漏水個所検知方法を説明するための図である。
【符号の説明】
【００２４】
１：振動センサ、２：増幅回路、３：周波数フィルタ、４：整流回路、５：アナログ回路部、６：Ａ／Ｄ変換器、７：振動レベル処理手段、８：記憶回路、９：デジタル回路部、１０：時計回路、１１：操作部、１２，１２ａ，１２ｂ，１２ｃ：表示部、２１：配水管、２２：給水管、２３：水道メータ、２４：漏水監視装置、２５：音聴調査範囲
【図１】
2005331374.tif 000003
【図２】
2005331374.tif 000004
【図３】
2005331374.tif 000005
【図４】
2005331374.tif 000006
【図５】
2005331374.tif 000007
【図６】
2005331374.tif 000008
【図７】
2005331374.tif 000009